(57)【特許請求の範囲】
【請求項１】
ディスク１を収容するディスクケース２に信号読み書き用の窓３が開口され、窓３をスライド開閉するシャッター４が、ディスクケース２内に設けたキックばね５で閉じ勝手に移動付勢されており、
キックばね５は、コイル部１５と、コイル部１５の上端から連出される第１腕１６と、コイル部１５の下端に連続して立ち上がる起立部１７を含む第２腕１８とを有し、
ディスクケース２の内部に、シャッター開閉時のコイル部１５を移行案内するガイドリブ２４が設けられており、
シャッター４を全開放した状態において、起立部１７と向きあうガイドリブ２４に逃げ部２５が形成してあるディスクカートリッジ。
【請求項２】
シャッター４の受爪１４と対向する側のガイドリブ２４の面壁に、逃げ部２５で分断されたリブ壁を補強する補強リブ２６が設けてある請求項１記載のディスクカートリッジ。
【発明の詳細な説明】
【０００１】
【発明の属する技術分野】
本発明は、信号読み書き窓を開閉するためのシャッターを備え、シャッターを閉じ勝手に移動付勢するキックばねを有するディスクカートリッジに関する。
【０００２】
【従来の技術】
シャッター４をキックばね（捻りコイルばね）で閉じ勝手に付勢する形態のディスクカートリッジは、市販されている書換型の光磁気ディスク（以下、単にＭＯという）に公知である。そこでは、コイル部の一方の端から連出したキック腕をケース隅部に係止し、コイル部の他方の端から連出したキック腕をシャッターのスライド枠に係止している。呼称3.５インチのフロッピーディスクにおいても同様のキックばねでシャッターが閉じ姿勢に移動付勢されている。
【０００３】
本発明者は、先のＭＯに比べて情報記録容量が格段に大きく、しかも外形サイズがひと回り小さな次世代型の光ディスクの開発に従事しているが、そこで検討している光ディスクにおいても、ＭＯと同様にキックばねを用いてシャッターを閉じ付勢することを予定している。具体的には、図６に示すように、コイル部４０の上端から連出した一方のキック腕４１をケースの内隅に当て、コイル部４０の下端から立ち上げた他方のキック腕４２をシャッター４３の受爪４４に当てて係止している。但し、ＭＯにおいてはシャッターを開閉操作しても、各キック腕の先端の係止位置は変化せず、コイル部のみが斜めに変位するのに対して、検討中のディスクカートリッジにおいては、シャッター４３側のキック腕４２の係止位置のみを固定化し、他方のキック腕４２はケース内面に沿って往復遊動できるようにしている。シャッター開閉時のコイル部４０は、ケース内に設けたガイドリブ４５に規制案内されてスライド変位する。そのために、コイル部４０の下端から起立部４６を折り起し、その上端からシャッター４３側のキック腕４２を連出している。
【０００４】
【発明が解決しようとする課題】
上記のように、コイル部４０をガイドリブ４５で移行案内して、シャッター開閉時のキックばねの変形姿勢を規制すると、ケース内隅のキック腕４１が往復動する分だけコイル部４０の後退方向（シャッター４３のスライド方向と直交する向き）の変位量を抑止できるので、ばねの収容スペースが小さな小形化されたディスクカートリッジにおいて、キックばねの円滑な動きを保証してばね力を十分に発揮でき、以てシャッター４３の開閉を的確に行えることになる。
【０００５】
かかるシャッター開閉構造の信頼度を確認するために、耐久テストを行った。その結果、起立部４６の上側の屈曲部４７に過剰なストレスが作用しており、場合によっては起立部４６の上端が折損してしまうのを確認した。屈曲部４７に作用するストレスの原因は、シャッター４３を全開放する際に、起立部４６に作用する受爪４４へ近付く向きの引っ張り力であると考えられる。全開放時には起立部４６がコイル部４０と共にガイドリブ４５で受け止められて位置規制される。そのため、先の引っ張り力を受けた起立部４６は、ガイドリブ４５に乗り上がるように変形する以外になく、この状態が信号の読み書きを行う間は維持し続けられることもあって、屈曲部４７に過剰なストレスが作用するものと思われる。
【０００６】
本発明の目的は、シャッター閉止用のキックばねに異常なストレスが作用するのを解消することにより、長期使用時のキックばねの劣化や折損を防止し、シャッター開閉構造の信頼性を向上することにある。
【０００７】
【課題を解決するための手段】
本発明は、図２に示すごとくディスク１を収容するディスクケース２に信号読み書き用の窓３が開口され、窓３をスライド開閉するシャッター４が、ケース内に設けたキックばね５で閉じ勝手に移動付勢してあるディスクカートリッジを対象とする。キックばね５は、図１に示すごとくコイル部１５と、コイル部１５の上端から連出される第１腕１６と、コイル部１５の下端に連続して立ち上がる起立部１７を含む第２腕１８とを有する。ディスクケース２の内部に、シャッター開閉時のコイル部１５を移行案内するガイドリブ２４が設けてある。シャッター４を全開放した状態において、起立部１７と向きあうガイドリブ２４に、逃げ部２５が形成されている。そして、シャッター４の受爪１４と対向する側のガイドリブ２４の面壁に、逃げ部２５で分断されたリブ壁を補強する補強リブ２６が設けられている。
【０００８】
【作用および発明の効果】
シャッター４を全開した状態において、起立部１７を含む第２腕１８は受爪１４の側へ引っ張られる。この引っ張り力を受けた起立部１７は、僅かに撓み変形して逃げ部２５内へ入り込み、第２腕１８に作用する引っ張り力を緩和吸収する。従って、本発明のディスクカートリッジによれば、起立部１７に異常なストレスが作用するのを阻止して、その屈曲部２７の弾性力が損なわれたり、屈曲部２７が折損するのを解消でき、長期使用時のキックばね５の性能低下を防止して、シャッター開閉構造の信頼性を向上できる。
【０００９】
受爪１４と対向する側の面壁に補強リブ２６を設けたガイドリブ２４によれば、逃げ部２５によって分断されたリブ壁が撓み変形するのを防止して、コイル部１５をガイドリブ２４に沿って円滑に移行案内し、シャッター４の開閉動作を円滑化できる。
【００１０】
【実施例】
図１ないし図４は本発明に係るディスクカートリッジの実施例を示す。図２においてディスクカートリッジは、情報信号を書き換えできる光ディスク（ディスク）１と、光ディスク１を回転自在な状態で収容するディスクケース２とからなる。ディスクケース２はそれぞれプラスチック成形された上ケース２ａと下ケース２ｂとを蓋合わせ状に接合した四角形状の薄い中空箱体からなる。ディスクケース２は、装填始端縁の左右両側を僅かに切り欠いてあり、この切り欠かれた緩やかな弧面の側を装填始端にしてディスクドライブに装填される。
【００１１】
ディスクケース２の一側（図で右側）寄りに読み書き用の窓３を開口してあり、この窓３はシャッター４で開閉される。窓３は上下ケース２ａ・２ｂのそれぞれにおいて開口してあって、光ディスク１の両面に信号を読み書きできる。シャッター４は、窓３を閉じる閉位置と、窓３を全開放する開位置との間を往復スライドでき、ディスクケース２の内部に設けたキックばね５で閉じ位置へ向かって移動付勢されている。ディスクケース２の装填始端（前）側の右内隅にロックピース６を配置してあり、このロックピース６でシャッター４を係合保持して、シャッター４が不用意に開放操作されるのを阻止している。ディスクケース２の装填終端（後ろ）側の周側面に面する左後ろ側の内隅には、誤消去防止用の検出孔を開閉するための切換えピース９を配置する。
【００１２】
シャッター４は、上面板１１と下面板１２と、これら上下板１１・１２を繋ぐ端壁１３とを有し、上面板１１が窓３のみを開閉するのに対し、下面板１２は窓３と、ケース底壁に開口したディスク１用の駆動穴も同時に開閉する。端壁１３の開放端には受爪１４が設けてある。
【００１３】
キックばね５は、コイル部１５と、コイル部１５の上端から連出される第１腕１６と、コイル部１５の下端に連続して立ち上がる起立部１７とを含む第２腕１８とからなり、各腕１６・１８の遊端に係止片１９・２０が折り曲げ形成してある。
【００１４】
図３においてキックばね５は、ディスクケース２の右側後隅のケース周側壁と、光ディスク１を収容する円弧状の区分壁２２とで囲まれる三角形状のスペースＳに配置する。シャッター４を開閉するとき、キックばね５は一対の係止片１９・２０が大きく離れるＶ字状態と、両係止片１９・２０が接近するＩ字状態とに弾性変形するが、このときのコイル部１５の前後変位量を抑止するために、第２腕１８の係止片２０を受爪１４に接当係止し、第１腕１６の係止片１９はケース後壁２３で前後遊動可能に接当支持する。さらに、下ケース２ｂの底壁から突設したガイドリブ２４でコイル部１５を移行案内する。このようにコイル部１５の移行軌跡をガイドリブ２４で規制案内すると、コイル部１５の後退量を抑止して狭いスペースＳにより大きなキックばね５を配置できる。
【００１５】
図３および図４においてガイドリブ２４は、シャッター４のスライド軌跡に対して斜めに傾斜しており、その上端と上ケース２ａとの間の隙間において、第１腕１６と第２腕１８とが前後に傾動変位する。この隙間内に第２腕１８を位置させる必要上、第２腕１８のコイル部１５側の基端に起立部１７が設けられている。
【００１６】
シャッター４を全開放した状態において、起立部１７がガイドリブ２４と接当干渉するのを防ぐために、起立部１７と向き合うリブ壁にＵ字状の逃げ部２５を切り欠き形成する。さらに、逃げ部２５で分断されたリブ壁の強度低下を補うために、逃げ部２５を間に挟む状態でＶ字形の補強リブ２６を設ける。補強リブ２６はガイドリブ２４の受爪１４と対向する側の面壁に設ける。また、補強リブ２４の突出高さはガイドリブ２４に同じとする。図１において符号２８は溶着用のボスである。
【００１７】
上記のようにガイドリブ２４に逃げ部２５が設けてあると、シャッター４を全開放した状態において、起立部１７が僅かに弾性変形して逃げ部２５内へ入り込む。これで第２腕１８に作用する引っ張り力を緩和吸収し、起立部１７と第２腕１８との屈曲部２７に過剰なストレスが作用するのを解消する。従って、長期使用時に屈曲部２７が繰り返しストレスにさらされて弾性が低下し、あるいは屈曲部２７が折損するのを確実に阻止して、キックばね５のばね特性を長期にわたって適正に維持できる。
【００１８】
上記の実施例以外に、図５に示すように逃げ部２５の受爪１４側の開口を断面コ字状の補強リブ２６で塞ぐことにより、逃げ部２５をコイル部１５の案内面と上面のみが開口する凹みとして形成することができる。必要があれば、第２腕１８の中途部に、引っ張り力を吸収するための例えばＵ字状の緩衝部を付加することができる。ガイドリブ２４の平面視形状は直線状とする以外に、緩やかな湾曲線状に形成することができる。
【図面の簡単な説明】
【図１】要部の斜視図である。
【図２】ディスクカートリッジの平面図である。
【図３】キックばねの動作を示す要部の破断平面図である。
【図４】図３におけるＡ−Ａ線断面図である。
【図５】逃げ部の別実施例を示す平面図である。
【図６】シャッター開閉構造の比較例を示す平面図である。
【符号の説明】
１  ディスク
２  ディスクケース
３  窓
５  キックばね
１４  受爪
１５  コイル部
１６  第１腕
１７  起立部
１８  第２腕
２４  ガイドリブ
２５  逃げ部
２６  補強リブ
【図１】
0003865102.tif 000002
【図２】
0003865102.tif 000003
【図３】
0003865102.tif 000004
【図４】
0003865102.tif 000005
【図５】
0003865102.tif 000006
【図６】
0003865102.tif 000007